(57)【要約】【課題】  吐出用の開口部に連なる連通孔から浴槽水を開口部に十分に流入させることができ、開口部から吐出される加熱循環水に浴槽水を十分に混合させて吐出することができる浴槽用循環具を提供する。【解決手段】  浴槽用循環具１１は、浴槽の側壁に固定されるスリーブ１４と、側壁の外部に配設される後面ケース１５と、スリーブ１４に固定される循環具本体１６と、循環具本体１６の前面に取付けられるフィルターケース１７とを備えている。循環具本体１６の前面に設けられた吸入部と吸入用通水路又は吐出用通水路との間には開閉弁が設けられ、吐出用開口部には逆止弁が設けられている。循環具本体１６の前面には第１カバー６３及び第２カバー７１が装着されている。第２カバー７１の先端中央部には切欠き８５が設けられ、その切欠き８５を介して浴槽水が吐出用開口部に取り込まれるよになっている。【選択図】      図１
2006017345.tif 000002
【特許請求の範囲】
【請求項１】
浴槽の側壁に貫通された状態で固定され、外部の加熱器と浴槽内との間で浴槽水の循環を行わせるための浴槽用循環具であって、
浴槽の側壁に設けられた貫通孔に挿通された状態で側壁に固定されるスリーブと、そのスリーブに固定され、浴槽水の吸入用開口部及び加熱器で加熱された加熱循環水を浴槽内へ吐出する吐出用開口部を有する循環具本体とを備え、循環具本体の前面には前記吐出用開口部を覆うカバーを設け、該カバーには吐出用開口部と浴槽内とを連通する連通孔を設けると共に、吐出用開口部から加熱循環水が吐出される流れにより浴槽内の浴槽水が前記連通孔から吐出用開口部へ取り込まれるように連通孔が斜めに形成されていることを特徴とする浴槽用循環具。
【請求項２】
前記連通孔の斜めの角度は４５度以下に設定されている請求項１に記載の浴槽用循環具。
【請求項３】
前記連通孔はカバーの先端縁まで切欠かれて形成されている請求項１又は請求項２に記載の浴槽用循環具。
【発明の詳細な説明】
【技術分野】
【０００１】
本発明は、浴槽の側壁に取付けられ、浴槽水を外部の加熱器を介して循環させる配管を浴槽に接続し、浴槽水を加熱するための浴槽用循環具に関するものである。
【背景技術】
【０００２】
この種の浴槽用循環具としては、例えば特許文献１に記載されているような構成のものが知られている。すなわち浴槽用循環具は、浴槽の側壁に設けられた貫通孔に固定されるスリーブと、そのスリーブ内に挿入されて固定され、浴槽水の吸入用開口と吐出用開口とを有する循環具本体とを備えている。循環具本体は、浴槽内において浴槽水を加熱器に送って戻すための通水回路を有する仕切り板と、通水回路の前面を覆う仕切りカバーとを有している。仕切り板の前面には一対の通水路が凹設され、仕切り板の側縁に設けられた開口に向けて略への字状に屈曲している。
【０００３】
一対の補助開口は両屈曲部の下部において前方に開口され、両通水路にそれぞれ連通されている。仕切りカバーには両補助開口を前面に開放させるための一対の開口が開けられている。そして、浴槽水は仕切り板の一方の開口及び仕切りカバーの開口、補助開口から通水路へ流れ、強制循環配管の往き管から加熱器に到り、戻り管から他方の通水路、仕切り板の他方の補助開口及び仕切りカバーの他方の開口から浴槽内に吐出される。
【０００４】
また、別の浴槽用循環具として、特許文献２に記載されているような構成のものも知られている。この浴槽用循環具の湯水通路分離形成具は、湯水通路分離形成本体と、湯水流入口用のフィルター付き開口枠体と、湯水吐出口用の湯水吐出ノズル付き閉塞体とによって構成されている。湯水通路分離形成本体の湯水出入側板部の各開口部近傍の外側寄りには、各開口部と連通する一対のフィルター付き湯水流通穴が形成されている。
【特許文献１】特開平９−１６６３５７号公報（第２頁及び図１）
【特許文献２】特開平１１−１０８４６１号公報（第２頁及び第４頁）
【発明の開示】
【発明が解決しようとする課題】
【０００５】
ところが、前記特許文献１に記載の補助開口は通水路に対して直交する方向に設けられていることから、浴槽水が通水路に流れ込むときに、仕切りカバーの開口から導入される浴槽水が補助開口から通水路へ十分に流れ込まないという問題があった。特許文献２に記載のフィルター付き湯水流通穴も開口部に対して直交していることから、開口部より湯水が吐出されるとき、湯水流通穴から導入される浴槽水が開口部へ十分に流れないという問題があった。
【０００６】
本発明は、このような従来技術に存在する問題点に着目してなされたものである。その目的とするところは、吐出用の開口部に連なる連通孔から浴槽水を開口部に十分に流入させることができ、開口部から吐出される加熱循環水に浴槽水を十分に混合させて吐出することができる浴槽用循環具を提供することにある。
【課題を解決するための手段】
【０００７】
上記の目的を達成するために、請求項１に記載の発明の浴槽用循環具は、浴槽の側壁に貫通された状態で固定され、外部の加熱器と浴槽内との間で浴槽水の循環を行わせるための浴槽用循環具であって、浴槽の側壁に設けられた貫通孔に挿通された状態で側壁に固定されるスリーブと、そのスリーブに固定され、浴槽水の吸入用開口部及び加熱器で加熱された加熱循環水を浴槽内へ吐出する吐出用開口部を有する循環具本体とを備え、循環具本体の前面には前記吐出用開口部を覆うカバーを設け、該カバーには吐出用開口部と浴槽内とを連通する連通孔を設けると共に、吐出用開口部から加熱循環水が吐出される流れにより浴槽内の浴槽水が前記連通孔から吐出用開口部へ取り込まれるように連通孔が斜めに形成されていることを特徴とするものである。
【０００８】
請求項２に記載の発明の浴槽用循環具は、請求項１に記載の発明において、前記連通孔の斜めの角度は４５度以下に設定されているものである。
請求項３に記載のは、請求項１又は請求項２に記載の発明において、前記連通孔はカバーの先端縁まで切欠かれて形成されているものである。
【発明の効果】
【０００９】
本発明によれば、次のような効果を発揮することができる。
請求項１に記載の発明の浴槽用循環具においては、吐出用開口部を覆うカバーには吐出用開口部と浴槽内とを連通する連通孔を設け、その吐出用開口部から加熱循環水が吐出される流れにより浴槽内の浴槽水が連通孔から吐出用開口部へ取り込まれるように連通孔が斜めに形成されている。このため、連通孔から浴槽水を吐出用の開口部に十分に流入させることができ、開口部から吐出される加熱循環水に浴槽水を十分に混合させて吐出することができる。
【００１０】
請求項２に記載の発明の浴槽用循環具では、連通孔の斜めの角度は４５度以下に設定されている。このため、連通孔から吐出用の開口部へ浴槽水が流入されやすくなり、その流入量を増加させることができる。
【００１１】
請求項３に記載の発明の浴槽用循環具では、連通孔はカバーの先端縁まで切欠かれて形成されている。このため、浴槽水が連通孔から吐出用の開口部へ流入されるときの流入抵抗が少なくなって、流入が容易になり、流入量が増えると共に、流入された浴槽水と吐出用の開口部から吐出される加熱循環水との混合性も向上する。
【発明を実施するための最良の形態】
【００１２】
以下、本発明の実施形態につき、図面に基づいて詳細に説明する。
図１及び図２に示すように、本実施形態の浴槽用循環具１１は、浴槽の側壁１２に設けられた貫通孔１３に内側から挿入されるスリーブ１４と、側壁１２の外側に配置される後面ケース１５と、前記スリーブ１４に挿入固定される循環具本体１６と、該循環具本体１６に取付けられるフィルターケース１７とを備えている。
【００１３】
前記後面ケース１５は金属からなり、その後端部（図１及び図２の右端部）には、浴槽外の加熱器の強制循環配管の往き管１８及び戻り管１９とに接続される２本の配管接続部２０、２１が設けられており、その一方の配管接続部２０は中心部の内室２２に、他方の配管接続部２１は外周部の外室２３に接続されている。この場合、配管接続部２０が外室２３に接続され、配管接続部２１が内室２２に接続されても差し支えない。内室２２の開口側内周には、Ｏリング２４が嵌め込まれている。後面ケース１５の開口端部内周面には雌ねじ部２５が螺刻されている。後面ケース１５の開口端部にはフランジ部２６が設けられると共に、そのフランジ部２６にはシール材２７が被せられ、側壁１２の外側面との間の水密が確保されている。
【００１４】
スリーブ１４はポリアセタール等の合成樹脂により円筒状に形成され、その一端にはフランジ２８が突設されている。スリーブ１４の外周面には雄ねじ部２９が螺刻され、その雄ねじ部２９が前記後面ケース１５の雌ねじ部２５に螺合され、スリーブ１４と後面ケース１５とが浴槽の側壁１２を挟んで連結固定されている。スリーブ１４の内周面には軸線方向に延びる複数（実施形態では一対）の位置決め突起３０が設けられている。フランジ２８の外周面には環状係合溝３１が凹設されている。フランジ２８と側壁１２の内側面との間にはパッキン３２が挟着され、両者間の水密を確保している。
【００１５】
循環具本体１６はポリアセタール等の合成樹脂により略円柱状に形成され、その内端部の内周面には抜け防止爪３３が突設され、前記スリーブ１４の環状係合溝３１に係合されるようになっている。これら循環具本体１６の抜け防止爪３３と、スリーブ１４の環状係合溝３１とで循環具本体１６の抜け出しを防止する抜け防止手段が構成されている。図３（ａ）及び（ｂ）に示すように、循環具本体１６の中心部には、前記後面ケース１５の中心部に設けられた内室２２に接続される吸入用開口部としての吸入用通水路３４が設けられ、その周囲には後面ケース１５の外室２３に接続される吐出用開口部としての吐出用通水路３５が設けられている。これらの吸入用通水路３４と吐出用通水路３５との間には、水の流れを仕切る仕切壁３６が設けられている。また、循環具本体１６の後部には位置決め用の係合部が設けられ、前記スリーブ１４の位置決め突起３０に係合して循環具本体１６の周方向への回転が規制されている。
【００１６】
更に、図３（ａ）の右下部分には、前記吸入用通水路３４又は吐出用通水路３５に連なる一対の吐出用開口部３７、３８が設けられている。図３（ｃ）に示すように、吐出用開口部３７、３８は各底部が断面円弧状に形成されると共に、それらの中央部には仕切り用突条３９が形成されている。吐出用開口部３７，３８の開口端部側には循環具本体１６の前面と平行に延びるガイド部としてのガイド凹条４０が形成されている。
【００１７】
また、循環具本体１６の前面にはフィルターケース１７を介して浴槽内の浴槽水を吸い込むための吸入用開口部としての一対の吸入部４１、４２が凹設されている。これらの吸入部４１、４２と前記吸入用通水路３４及び吐出用通水路３５との間には図６（ａ）,（ｂ）に示すような開閉弁４３、４４（逆止弁）が各々配設され、浴槽水を吸入部４１から吸入用通水路３４へ導くように構成されている。
【００１８】
図３（ａ）及び図６（ａ）、（ｂ）に示すように、開閉弁４３、４４は循環具本体１６の前面に形成された支持凹部４５に支持される開閉弁本体４６と、その下面から後方へ延びる弁板４７とより構成されている。これらの開閉弁４３、４４はエチレン−プロピレン−ジエン共重合ゴム（ＥＰＤＭ）等のゴムにより形成されている。開閉弁本体４６の弁板４７の付け根部分には、断面半円状の切欠き部４８が設けられ、弁板４７が容易に開くようになっていると共に、弁板４７の先端部には厚肉部４９が設けられ、弁板４７の先端部を補強するようになっている。また、弁板４７の反対側は平坦面となり、その先端部が循環具本体１６のストッパ面５０に当接し、弁板４７の先端部が図中反時計方向へ回動するのを許容し、時計方向へ回動するのを防止するようになっている。そして、図６（ｂ）に示すように、吸入部４１，４２から浴槽水が吸入されたとき、弁板４７の反時計方向への回動を許容している。
【００１９】
図７（ｄ）に示すように、前記吐出用開口部３７，３８には図７（ａ）〜（ｃ）に示すような開閉弁としての逆止弁５１ａ、５１ｂが収容されている。この逆止弁５１ａ、５１ｂについて説明すると、容器としての円筒状をなす収容ケース５２の一端内周面には係合段部５３が設けられると共に、外周面には環状溝５４が周設されシールリング５５が嵌着されている。一方、収容ケース５２の他端には円弧状をなす複数の流通孔５６が透設されたキャップ５７が取付固定されている。収容ケース５２内には弁体５８が配設され、該弁体５８とキャップ５７内面との間には付勢部材としてのコイルスプリング５９が介装され、弁体５８が収容ケース５２の係合段部５３に係合するように付勢されている。弁体５８の外周面には円環状の収容溝６０が設けられ、シール材６１が嵌着されて弁体５８と収容ケース５２との間がシールされている。そして、図７（ｂ）に示すように、図中の左から右への水流によりコイルスプリング５９の付勢力に抗して弁体５８が左から右へ移動し、左から右への水の流れが許容される。逆に、図７（ａ）に示すように、図中の右から左への水流により弁体５８が収容ケース５２の係合段部５３に係合され、シール材６１によって右から左への水の流れが遮断される。
【００２０】
図８（ｂ）に示すように、循環具本体１６の前面中心部には円弧状の第１装着用凹部６２が設けられ、該第１装着用凹部６２には前記循環具本体１６の吸入部４１、４２、開閉弁４３、４４、吸入用通水路３４及び吐出用通水路３５を覆うように第１カバー６３が被せられるようになっている。図４（ａ）に示すように、第１カバー６３は円板の周囲の一部が直線状に切り欠かれたＤ型形状をなし、その周縁部の３箇所にはビスを挿通するためのビス挿通孔６４が透設されている。そして、図８（ｃ）に示すように、第１カバー６３を循環具本体１６の前面中心部に置いてビス挿通孔６４にビスを挿通して締付けることにより、第１カバー６３が循環具本体１６に固定される。
【００２１】
第１カバー６３の円弧部側には一対の吸入孔６５，６６がくの字状に透設されている。図４（ａ）,（ｃ）に示すように、第１カバー６３の表面の直線部近傍には規制用凹部６７が設けられている。図４（ｂ）に示すように、第１カバー６３裏面の直線部側には、該直線部と直交方向に延びる区画突起６８が設けられると共に、その両側には円弧部６９が形成され、前記一対の逆止弁５１ａ、５１ｂの基端部を上から押えるようになっている。尚、図４（ｂ）は図４（ａ）の４ｂで示す矢印方向から見た図である。
【００２２】
図１及び図８（ｂ）に示すように、前記循環具本体１６の吐出用開口部３７、３８には第２装着用凹部７０が設けられ、吐出用開口部３７、３８に収容された逆止弁５１ａ、５１ｂを覆うように第２カバー７１が装着される。図５（ａ）〜（ｅ）に示すように、第２カバー７１は略四角板状をなし、その両側にガイド部としてのガイド突条７２が突設され、前記吐出用開口部３７、３８のガイド凹条４０に嵌め込まれてスライドできるようになっている。第２カバー７１の基端部中央には突出部７３が設けられ、その裏面には規制突起７４が突設され、第２カバー７１を閉めたときに第１カバー６３の規制用凹部６７に係合されて第２カバー７１の抜け出しが規制されている。第２カバー７１の裏面中央には前記一対の逆止弁５１ａ、５１ｂを区画保持するための保持突条７５が設けられると共に、その先端部には保持突条７５と直交する方向へ延び、両逆止弁５１ａ、５１ｂが当接される当接面７６が設けられている。
【００２３】
第２カバー７１の先端中央部分には、吐出用開口部３７、３８と浴槽内とを連通する連通孔としての切欠き８５が設けられている。この切欠き８５の基端側には先端側ほど第２カバー７１の肉厚が薄くなるような傾斜面８６が設けられている。第２カバー７１表面の延長面に対する傾斜面８６のなす斜めの角度、すなわち傾斜角度αが約３５度に設定されている。切欠き８５の両側にも対向距離が短くなるほど第２カバー７１の肉厚が薄くなるような斜面８７が設けられ、その斜面８７の第２カバー７１表面の延長面とのなす角度が約４５度に設定されている。そして、浴槽水が吐出用開口部３７、３８から吐出される加熱循環水の流れに取り込まれるように、切欠き８５から流入されるようになっている。また、第２カバー７１表面の基端側には、指で押えて第２カバー７１をスライドさせるための凹凸部７７が設けられている。尚、図５（ｃ）は図５（ｂ）の５ｃで示す矢印方向から見た図である。
【００２４】
図１及び図２に示すように、フィルターケース１７は有底円筒状に形成され、その底壁には金網により略台形状に形成された多数の吸入用ネット７８が円環状に並んで配置され、そこから浴槽水を吸入するようになっている。フィルターケース１７の周壁７９には金網により形成された吐出用ネット８０が設けられ、加熱循環水が吐出されるようになっている。循環具本体１６の外周には平面Ｌ字状をなす複数（本実施形態では３箇所）の係合凹所８１が設けられている。一方、図２に示すように、フィルターケース１７の内周面には係合突起が設けられ、循環具本体１６の係合凹所８１に係合されてフィルターケース１７が循環具本体１６に取付固定されるようになっている。
【００２５】
さて、上記のように構成された浴槽用循環具１１を浴槽の側壁１２に取付固定する場合には、図１及び図２に示すように、浴槽の側壁１２に設けられた貫通孔１３に内側からスリーブ１４を挿通し、その雄ねじ部２９を側壁１２の外側に配設された後面ケース１５の雌ねじ部２５に螺合して締付け固定する。そして、後面ケース１５の配管接続部２０を往き管１８に、配管接続部２１を戻り管１９に、それぞれ接続する。次いで、循環具本体１６の吸入用通水路３４をスリーブ１４内に挿入するようにして循環具本体１６の抜け防止爪３３をスリーブ１４の環状係合溝３１に係合させる。そして、吸入用通水路３４が後面ケース１５の内室２２に接続されると共に、吐出用通水路３５が後面ケース１５の外室２３に接続される。
【００２６】
次に、循環具本体１６に開閉弁４３、４４、吐出用開口部３７、３８の逆止弁５１ａ、５１ｂ、第１カバー６３及び第２カバー７１を取付ける方法について説明する。図８（ａ）に示すように、循環具本体１６前面の一対の吸入部４１、４２と吸入用通水路３４及び吐出用通水路３５との間に開閉弁４３、４４を装着すると共に、吐出用開口部３７、３８に一対の逆止弁５１ａ、５１ｂを装着する。
【００２７】
その後、図８（ｂ）に示すように、吸入部４１、４２、吸入用通水路３４、吐出用通水路３５及び開閉弁４３、４４を覆うように第１カバー６３を第１装着用凹部６２に嵌め込み、ビス挿通孔６４にビスを挿通して締付けることによって循環具本体１６に固定する。続いて、図８（ｃ）に示すように、第２カバー７１のガイド突条７２を第２装着用凹部７０のガイド凹条４０に係合させてスライドさせ、第２カバー７１の規制突起７４を第１カバー６３の規制用凹部６７に係合させる。このようにして、図８（ｄ）に示すように、第１カバー６３及び第２カバー７１を循環具本体１６に固定することができる。
【００２８】
次に、浴槽の側壁１２に取付固定された浴槽用循環具１１を使用する場合には、例えば、配管接続部２０を往き管１８に、配管接続部２１を戻り管１９に、それぞれ接続させる。そして、浴槽外の加熱器で浴槽水を循環させると、浴槽水はフィルターケース１７前面の吸入用ネット７８から吸い込まれ、第１カバー６３の吸入孔６５を通って循環具本体１６の吸入部４１に到る。浴槽水はその吸入部４１から開閉弁４３を通って吸入用通水路３４に流れ、更に往き管１８を経て加熱器へと流れる。加熱器で加熱された加熱循環水は戻り管１９から吐出用通水路３５を介して循環具本体１６の前面に出て、更に逆止弁５１ａを通り、吐出用開口部３７からフィルターケース１７の吐出用ネット８０を経て浴槽内へ吐出される。
【００２９】
このとき、吐出用開口部３７から吐出される加熱循環水の流れに基づく吸引現象、すなわち第２カバー７１の切欠き８５側が吐出用開口部３７側に対して減圧となり、その切欠き８５から浴槽水が吐出用開口部３７へ吸引されて加熱循環水に混合される（図２に矢印で示す）。この際、第２カバー７１の切欠き８５には傾斜面８６が設けられ、その傾斜角度αが約３５度に設定されていることから、切欠き８５から流入される浴槽水の流れの方向は吐出用開口部３７から吐出される加熱循環水の流れの方向に沿っている。このため、浴槽水が切欠き８５から吐出用開口部３７へ流入されやすく、また十分な浴槽水が流入され続ける。更に、切欠き８５の両側に設けられた斜面８７によっても、切欠き８５から吐出用開口部３７への浴槽水の流入が補完され、流入量が増大する。従って、吐出用開口部３７から加熱循環水と十分な量の浴槽水とが混合されて吐出され、すなわち加熱循環水の温度が低下した状態で吐出される。
【００３０】
ちなみに、第２カバー７１にこのような切欠き８５を設けた場合と設けなかった場合について試験を行った結果について説明する。温度計を吐出用開口部３７の近傍位置と、浴槽内の中心位置に設置した。そして、浴槽内に２４０リットルの水を入れ、浴槽内の中心位置の温度が１５℃から４５℃に到るまで、浴槽水を加熱器に循環して加熱した。浴槽内の中心位置の温度が一定の温度に達してから１０秒間の最低水温と最高水温を測定した。第２カバー７１に切欠き８５を設けた場合の結果を表１に、切欠き８５を設けなかった場合の結果を表２に示した。更に、それらの結果を図９にグラフで示した。尚、図９において、▲は切欠き８５を設けた場合の吐出用開口部３７近傍の最低水温、●は切欠き８５を設けた場合の吐出用開口部３７近傍の最高水温、△は切欠き８５を設けない場合の吐出用開口部３７近傍の最低水温、及び○は切欠き８５を設けない場合の吐出用開口部３７近傍の最高水温を表す。
【００３１】
【表１】
2006017345.tif 000003
【００３２】
【表２】
2006017345.tif 000004
表１、表２及び図９に示したように、第２カバー７１に切欠き８５を設けた場合には、切欠き８５を設けなかった場合に比べて吐出用開口部３７の近傍位置での温度が最低温度及び最高温度共に約２〜８℃低下した。
【００３３】
尚、浴槽用循環具１１を浴槽の側壁１２に取付ける際に、前記とは逆に配管接続部２０を戻り管１９に接続し、配管接続部２１を往き管１８に接続させたときには、浴槽水はフィルターケース１７前面の吸入用ネット７８から吸い込まれ、第１カバー６３の吸入孔６６を通って循環具本体１６の吸入部４２に到る。浴槽水はその吸入部４２から開閉弁４４を通って吐出用通水路３５に流れ、更に往き管１８を経て加熱器へと流れる。加熱器で加熱された湯は戻り管１９から他方の吸入用通水路３４を介して循環具本体１６の前面に出て、更に逆止弁５１ｂを通り、吐出用開口部３８からフィルターケース１７の吐出用ネット８０を経て浴槽内へ吐出される。
【００３４】
以上の実施形態によって発揮される効果について、以下に記載する。
・  実施形態における浴槽用循環具１１においては、吐出用開口部３７を覆う第２カバー７１には吐出用開口部３７と浴槽内とを連通する切欠き８５が設けられ、その切欠き８５には傾斜面８６及び斜面８７が設けられている。このため、吐出用開口部３７から加熱循環水が吐出される流れにより浴槽内の浴槽水が切欠き８５から吐出用開口部３７へ容易に取り込まれる。従って、切欠き８５から浴槽水を吐出用開口部３７に十分に流入させることができ、吐出用開口部３７から吐出される加熱循環水に浴槽水を十分に混合させて吐出することができ、その温度を低下させることができる。
【００３５】
・  また、切欠き８５の傾斜面８６の傾斜角度αが約３５度に設定されている。このため、切欠き８５から吐出用開口部３７へ浴槽水が流入されやすくなり、その流入量を増加させることができる。
【００３６】
・  更に、切欠き８５は第２カバー７１の先端縁まで切欠かれて形成されている。このため、浴槽水が切欠き８５から吐出用開口部３７へ流入されるときの流入抵抗が少なくなって、流入が容易になり、流入量が増えると共に、流入された浴槽水と吐出用開口部３７から吐出される加熱循環水との混合性も向上する。
【００３７】
尚、本実施形態は、次のように変更して具体化することも可能である。
・  図１０（ａ）〜（ｃ）に示すように、第２カバー７１の連通孔を先端縁まで切欠かれていない挿通孔８８とすることもできる。この場合、傾斜面８６の傾斜角度αは約４５度に設定されている。また、斜面８７は設けられておらず、直角面となっている。
【００３８】
・  図１１（ａ）〜（ｃ）に示すように、前記実施形態において、切欠き８５の傾斜面８６の傾斜角度αを約３０度に設定して傾斜面８６の面積を大きくし、貫通部分を少なくするように構成することもできる。このように構成した場合、切欠き８５の傾斜面８６から浴槽水を吐出用開口部３７へより容易に流入させることができる。尚、斜面８７は設けられておらず、直角面となっている。また、前記凹凸部７７に代えて、切欠き８５の両側方には一対の指掛け用凹部８９が設けられている。
【００３９】
・  切欠き８５の長さ又は幅を適宜変更してその面積を変え、切欠き８５から吐出用開口部３７への浴槽水の流入量を変更することができる。
・  切欠き８５を吐出用開口部３７と吐出用開口部３８とにそれぞれ対向させて別々に設けることも可能である。
【００４０】
・  前記循環具本体１６の吸入部４１及び吸入部４２、吸入用通水路３４及び吐出用通水路３５、吐出用開口部３７及び吐出用開口部３８を各々１つずつ設けることもできる。この場合、循環具本体１６の吸入用通水路３４、後面ケース１５の配管接続部２０及び強制循環配管の往き管１８を接続すると共に、循環具本体１６の吐出用通水路３５、後面ケース１５の配管接続部２１及び強制循環配管の戻り管１９を接続する必要がある。
【００４１】
・  前記実施形態では吸入部４１、４２を循環具本体１６の前面に設けて浴槽水を前面から吸入するように構成したが、吸入部４１、４２を循環具本体１６の側部に設けて浴槽水を側方から吸入するように構成することもできる。また、吐出用開口部３７、３８を循環具本体１６の下部に設け、加熱循環水を下方へ吐出することもできる。
【００４２】
更に、前記実施形態より把握できる技術的思想について以下に記載する。
・  前記連通孔には、加熱循環水が吐出される方向に傾斜する傾斜面が設けられている請求項１に記載の浴槽用循環具。このように構成した場合、浴槽水を吐出用開口部へ容易に流入させることができる。
【００４３】
・  前記連通孔は角孔で構成され、前記加熱循環水が吐出される方向に傾斜する傾斜面を有すると共に、該傾斜面と直交する方向に傾斜する斜面が設けられている請求項１に記載の浴槽用循環具。このように構成した場合、浴槽水を吐出用開口部へより容易に流入させることができる。
【００４４】
・  前記カバーは、循環具本体の前面中央部に設けられる第１カバーと、該第１カバーより循環具本体の周縁部に到る第２カバーとから構成され、連通孔は第２カバーに設けられている請求項１に記載の浴槽用循環具。このように構成した場合、カバーの成形を容易に行うことができると共に、第２カバーのみを着脱容易な構造にしたり等して取り扱いを容易にすることができる。
【００４５】
・  浴槽の側壁に貫通された状態で固定され、外部の加熱器と浴槽内との間で浴槽水の循環を行わせるための浴槽用循環具は浴槽の側壁に設けられた貫通孔に挿通された状態で側壁に固定されるスリーブと、そのスリーブに固定され、浴槽水の吸入用開口部及び加熱器で加熱された加熱循環水を浴槽内へ吐出する吐出用開口部を有する循環具本体とを備え、前記循環具本体の前面に装着用凹部を設けて吐出用開口部を覆う浴槽用循環具のカバーであって、前記吐出用開口部に対向する位置には、浴槽内と連通する連通孔を設けると共に、吐出用開口部から加熱循環水が吐出される流れにより浴槽内の浴槽水が前記連通孔から吐出用開口部へ取り込まれるように連通孔が斜めに形成されていることを特徴とする浴槽用循環具のカバー。このように構成した場合、連通孔から浴槽水を開口部に十分に流入させることができ、開口部から吐出される加熱循環水に浴槽水を十分に混合させて吐出することができる。
【図面の簡単な説明】
【００４６】
【図１】実施形態における浴槽用循環具を示す分解斜視図。
【図２】浴槽用循環具の組み付け状態を示す断面図。
【図３】（ａ）は循環具本体を前面から見た状態を示す正面図、（ｂ）は（ａ）の３ｂ−３ｂ線における断面図、（ｃ）は（ａ）の３ｃ−３ｃ線における断面図。
【図４】（ａ）は第１カバーを示す正面図、（ｂ）は（ａ）の４ｂ方向から見た側面図、（ｃ）は（ａ）の４ｃ−４ｃ線における断面図。
【図５】（ａ）は第２カバーを示す正面図、（ｂ）は第２カバーを示す背面図、（ｃ）は（ｂ）の５ｃ方向から見た側面図、（ｄ）は（ｂ）の５ｄ−５ｄ線における断面図、（ｅ）は（ａ）の５ｅ−５ｅ線における断面図。
【図６】（ａ）は吸入側の開閉弁を循環具本体に配設した状態を示す断面図、（ｂ）は開閉弁の作用を示す断面図。
【図７】（ａ）は吐出側の逆止弁を示す断面図、（ｂ）は逆止弁の作用を示す断面図、（ｃ）は逆止弁の右側面図、（ｄ）は逆止弁を循環具本体の吐出部に装着した状態を示す断面図。
【図８】（ａ）は循環具本体の前面に吸入側の開閉弁及び吐出側の逆止弁を装着する状態を分解して示す正面図、（ｂ）は第１カバー及び第２カバーを循環具本体に装着する状態を分解して示す正面図、（ｃ）は第２カバーを循環具本体に装着する状態を分解して示す正面図、（ｄ）は循環具本体の前面に吸入側の開閉弁、吐出側の逆止弁、第１カバー及び第２カバーを装着した状態を示す正面図。
【図９】浴槽中心の水温と吐出用開口部近傍の水温との関係を示すグラフ。
【図１０】（ａ）は本発明の別例を示す第２カバーの正面図、（ｂ）は第２カバーを示す背面図、（ｃ）は（ａ）の１０ｃ−１０ｃ線における断面図。
【図１１】（ａ）は本発明の別例を示す第２カバーの正面図、（ｂ）は第２カバーを示す背面図、（ｃ）は（ａ）の１１ｃ−１１ｃ線における断面図。
【符号の説明】
【００４７】
１１…浴槽用循環具、１２…側壁、１３…貫通孔、１４…スリーブ、１６…循環具本体、３７、３８…吐出用開口部、７１…第２カバー、８５…連通孔としての切欠き、８６…傾斜面、８８…連通孔としての挿通孔、α…斜めの角度としての傾斜角度。
【図１】
2006017345.tif 000005
【図２】
2006017345.tif 000006
【図３】
2006017345.tif 000007
【図４】
2006017345.tif 000008
【図５】
2006017345.tif 000009
【図６】
2006017345.tif 000010
【図７】
2006017345.tif 000011
【図８】
2006017345.tif 000012
【図９】
2006017345.tif 000013
【図１０】
2006017345.tif 000014
【図１１】
2006017345.tif 000015